【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
撮影画像内に検出される被写体に応じた合成キャラクタを該撮影画像上に合成して合成画像を生成する画像合成装置であって、被写体の種類に応じて合成キャラクタの合成状態を決定するか、あるいは、被写体の状態に応じて合成キャラクタの種類を決定する画像合成決定手段を備えることを特徴とする画像合成装置。
【請求項２】
前記画像合成決定手段は、被写体の種類と状態の組み合わせに応じて合成キャラクタの種類または合成状態を決定することを特徴とする請求項１に記載の画像合成装置。
【請求項３】
前記画像合成決定手段は、被写体の種類と状態の組み合わせに応じて合成キャラクタの種類と合成状態の両方を決定することを特徴とする請求項２に記載の画像合成装置。
【請求項４】
前記検出可能な被写体の状態には、少なくとも被写体の向き、位置、大きさ、数、距離、動き、出現頻度のうちの１つが含まれることを特徴とする請求項３に記載の画像合成装置。
【請求項５】
前記検出可能な被写体の状態は、被写体の向き、位置、大きさ、数、距離、動き、出現頻度のうちの複数項目によって示される状態であることを特徴とする請求項４に記載の画像合成装置。
【請求項６】
前記合成キャラクタの合成状態には、少なくとも合成キャラクタの向き、位置、大きさ、数、動きのうちの１つが含まれることを特徴とする請求項３乃至５のいずれかに記載の画像合成装置。
【請求項７】
前記合成キャラクタの合成状態は、合成キャラクタの向き、位置、大きさ、数、動きのうちの複数項目によって示される合成状態であることを特徴とする請求項６に記載の画像合成装置。
【請求項８】
更に、逐次撮像される撮影画像内に逐次検出される被写体に応じた合成キャラクタを該撮影画像上に逐次合成して合成画像を逐次生成する逐次合成手段を備えることを特徴とする請求項１乃至７のいずれかに記載の画像合成装置。
【請求項９】
更に、前記画像合成決定手段は、被写体の種類の変化または被写体の状態の変化に応じて合成キャラクタの合成状態を逐次変化させることを特徴とする請求項１乃至８のいずれかに記載の画像合成装置。
【請求項１０】
更に、前記画像合成決定手段は、被写体の種類の変化または被写体の状態の変化に応じて合成キャラクタの合成の有無を逐次変化させることを特徴とする請求項１乃至９のいずれかに記載の画像合成装置。
【請求項１１】
更に、前記画像合成決定手段は、被写体の状態の変化に応じて合成キャラクタの種類または合成状態を逐次変化させることを特徴とする請求項１乃至１０のいずれかに記載の画像合成装置。
【請求項１２】
更に、逐次生成される合成画像をモニタ画面上に逐次表示する表示制御手段を備えることを特徴とする請求項８乃至１１のいずれかに記載の画像合成装置。
【請求項１３】
更に、逐次生成される合成画像を動画データとして逐次記録する動画記録制御手段を備えることを特徴とする請求項８乃至１２のいずれかに記載の画像合成装置。
【請求項１４】
更に、逐次生成される合成画像をモニタ画面上に逐次表示させている最中に、撮影指示があった場合に、その時点での合成画像を記録する静止画記録制御手段を備えることを特徴とする請求項８乃至１３のいずれかに記載の画像合成装置。
【請求項１５】
更に、動画撮影の指示が継続して行われているあいだ、合成キャラクタが逐次変化する動画フレームを記録していく第１の動画記録制御手段を備えることを特徴とする請求項１４に記載の画像合成装置。
【請求項１６】
更に、被写体の種類と状態の組み合わせ毎に、合成キャラクタの種類または合成状態を記憶した記憶手段を備え、
前記画像合成決定手段は、前記記憶手段を参照することにより、被写体の種類と状態の組み合わせに応じた合成キャラクタの種類または合成状態を決定することを特徴とする請求項２乃至１５のいずれかに記載の画像合成装置。
【請求項１７】
更に、被写体の種類と状態の組み合わせに対応する合成キャラクタの種類または合成状態を任意に設定して前記記憶手段に記憶させる設定手段を備えることを特徴とする請求項１６に記載の画像合成装置。
【請求項１８】
前記検出可能な被写体の種類には、少なくとも人物、動物、自然物、昆虫のうちの複数種類を含むことを特徴とする請求項２乃至１７のいずれかに記載の画像合成装置。
【請求項１９】
前記検出可能な被写体の種類には人物が含まれ、前記検出可能な被写体の状態には人物の表情が含まれ、
前記画像合成決定手段は、人物の表情に応じて合成キャラクタの種類または合成状態を変化させることを特徴とする請求項２乃至１８のいずれかに記載の画像合成装置。
【請求項２０】
前記検出可能な被写体の状態には、特定の被写体の過去における出現頻度が含まれ、
前記画像合成決定手段は、特定の被写体の出現頻度が高くなった場合に所定の合成キャラクタを合成することを特徴とする請求項２乃至１９のいずれかに記載の画像合成装置。
【請求項２１】
更に、合成条件、合成内容または合成タイミングを学習する学習手段を備えることを特徴とする請求項請求項１乃至２０のいずれかに記載の画像合成装置。
【請求項２２】
逐次撮像される撮影画像内に逐次検出される被写体に応じた合成キャラクタを該撮影画像上に逐次合成して合成画像を逐次生成し、この逐次生成される合成画像をモニタ画面上に逐次表示させている最中に、撮影指示があった場合に、撮影指示のタイミングに対応する合成画像を静止画データまたは動画データとして記録することを特徴とする画像合成装置。
【請求項２３】
更に、動画データの撮影記録中における合成キャラクタの合成タイミングを、被写体の種類または状態の変化に応じて決定することを特徴とする請求項２２に記載の画像合成装置。
【請求項２４】
撮影画像内に検出される被写体に応じた合成キャラクタを該撮影画像上に合成して合成画像を生成する画像合成方法であって、被写体の種類に応じて合成キャラクタの合成状態を決定するか、あるいは、被写体の状態に応じて合成キャラクタの種類を決定する画像合成決定工程を含むことを特徴とする画像合成方法。
【請求項２５】
逐次撮像される撮影画像内に逐次検出される被写体に応じた合成キャラクタを該撮影画像上に逐次合成して合成画像を逐次生成し、この逐次生成される合成画像をモニタ画面上に逐次表示させている最中に、撮影指示があった場合に、撮影指示のタイミングに対応する合成画像を静止画データまたは動画データとして記録することを特徴とする画像合成方法。
【請求項２６】
撮影画像内に検出される被写体に応じた合成キャラクタを該撮影画像上に合成して合成画像を生成する画像合成装置のコンピュータに、被写体の種類に応じて合成キャラクタの合成状態を決定するか、あるいは、被写体の状態に応じて合成キャラクタの種類を決定するための機能を実現するプログラム。
【請求項２７】
画像合成装置のコンピュータに、逐次撮像される撮影画像内に逐次検出される被写体に応じた合成キャラクタを該撮影画像上に逐次合成して合成画像を逐次生成し、この逐次生成される合成画像をモニタ画面上に逐次表示させている最中に、撮影指示があった場合に、撮影指示のタイミングに対応する合成画像を静止画データまたは動画データとして記録するための機能を実現するプログラム。
【手続補正２】
【補正対象書類名】明細書
【補正対象項目名】００１０
【補正方法】変更
【補正の内容】
【００１０】
請求項１記載の発明は、撮影画像内に検出される被写体に応じた合成キャラクタを該撮影画像上に合成して合成画像を生成する画像合成装置であって、被写体の種類に応じて合成キャラクタの合成状態を決定するか、あるいは、被写体の状態に応じて合成キャラクタの種類を決定する画像合成決定手段を備えることを特徴とする画像合成装置である。
請求項２記載の発明は、更に、前記画像合成決定手段は、被写体の種類と状態の組み合わせに応じて合成キャラクタの種類または合成状態を決定することを特徴とする。
請求項３記載の発明は、更に、前記画像合成決定手段は、被写体の種類と状態の組み合わせに応じて合成キャラクタの種類と合成状態の両方を決定することを特徴とする。
請求項４記載の発明は、更に、前記検出可能な被写体の状態には、少なくとも被写体の向き、位置、大きさ、数、距離、動き、出現頻度のうちの１つが含まれることを特徴とする。
請求項５記載の発明は、更に、前記検出可能な被写体の状態は、被写体の向き、位置、大きさ、数、距離、動き、出現頻度のうちの複数項目によって示される状態であることを特徴とする。
請求項６記載の発明は、更に、前記合成キャラクタの合成状態には、少なくとも合成キャラクタの向き、位置、大きさ、数、動きのうちの１つが含まれることを特徴とする。
請求項７記載の発明は、更に、前記合成キャラクタの合成状態は、合成キャラクタの向き、位置、大きさ、数、動きのうちの複数項目によって示される合成状態であることを特徴とする。
請求項８記載の発明は、更に、更に、逐次撮像される撮影画像内に逐次検出される被写体に応じた合成キャラクタを該撮影画像上に逐次合成して合成画像を逐次生成する逐次合成手段を備えることを特徴とする。
請求項９記載の発明は、更に、更に、前記画像合成決定手段は、被写体の種類の変化または被写体の状態の変化に応じて合成キャラクタの合成状態を逐次変化させることを特徴とする。
請求項１０記載の発明は、更に、更に、前記画像合成決定手段は、被写体の種類の変化または被写体の状態の変化に応じて合成キャラクタの合成の有無を逐次変化させることを特徴とする。
請求項１１記載の発明は、更に、更に、前記画像合成決定手段は、被写体の状態の変化に応じて合成キャラクタの種類または合成状態を逐次変化させることを特徴とする。
請求項１２記載の発明は、更に、更に、逐次生成される合成画像をモニタ画面上に逐次表示する表示制御手段を備えることを特徴とする。
請求項１３記載の発明は、更に、更に、逐次生成される合成画像を動画データとして逐次記録する動画記録制御手段を備えることを特徴とする。
請求項１４記載の発明は、更に、更に、逐次生成される合成画像をモニタ画面上に逐次表示させている最中に、撮影指示があった場合に、その時点での合成画像を記録する静止画記録制御手段を備えることを特徴とする。
請求項１５記載の発明は、更に、更に、動画撮影の指示が継続して行われているあいだ、合成キャラクタが逐次変化する動画フレームを記録していく第１の動画記録制御手段を備えることを特徴とする。
請求項１６記載の発明は、更に、更に、被写体の種類と状態の組み合わせ毎に、合成キャラクタの種類または合成状態を記憶した記憶手段を備え、前記画像合成決定手段は、前記記憶手段を参照することにより、被写体の種類と状態の組み合わせに応じた合成キャラクタの種類または合成状態を決定することを特徴とする。
請求項１７記載の発明は、更に、更に、被写体の種類と状態の組み合わせに対応する合成キャラクタの種類または合成状態を任意に設定して前記記憶手段に記憶させる設定手段を備えることを特徴とする。
請求項１８記載の発明は、更に、前記検出可能な被写体の種類には、少なくとも人物、動物、自然物、昆虫のうちの複数種類を含むことを特徴とする。
請求項１９記載の発明は、更に、前記検出可能な被写体の種類には人物が含まれ、前記検出可能な被写体の状態には人物の表情が含まれ、
前記画像合成決定手段は、人物の表情に応じて合成キャラクタの種類または合成状態を変化させることを特徴とする。
請求項２０記載の発明は、更に、前記検出可能な被写体の状態には、特定の被写体の過去における出現頻度が含まれ、前記画像合成決定手段は、特定の被写体の出現頻度が高くなった場合に所定の合成キャラクタを合成することを特徴とする。
請求項２１記載の発明は、更に、更に、合成条件、合成内容または合成タイミングを学習する学習手段を備えることを特徴とする。
請求項２２記載の発明は、逐次撮像される撮影画像内に逐次検出される被写体に応じた合成キャラクタを該撮影画像上に逐次合成して合成画像を逐次生成し、この逐次生成される合成画像をモニタ画面上に逐次表示させている最中に、撮影指示があった場合に、撮影指示のタイミングに対応する合成画像を静止画データまたは動画データとして記録することを特徴とする画像合成装置である。
請求項２３記載の発明は、更に、更に、動画データの撮影記録中における合成キャラクタの合成タイミングを、被写体の種類または状態の変化に応じて決定することを特徴とする。
請求項２４記載の発明は、撮影画像内に検出される被写体に応じた合成キャラクタを該撮影画像上に合成して合成画像を生成する画像合成方法であって、被写体の種類に応じて合成キャラクタの合成状態を決定するか、あるいは、被写体の状態に応じて合成キャラクタの種類を決定する画像合成決定工程を含むことを特徴とする画像合成方法である。
請求項２５記載の発明は、逐次撮像される撮影画像内に逐次検出される被写体に応じた合成キャラクタを該撮影画像上に逐次合成して合成画像を逐次生成し、この逐次生成される合成画像をモニタ画面上に逐次表示させている最中に、撮影指示があった場合に、撮影指示のタイミングに対応する合成画像を静止画データまたは動画データとして記録することを特徴とする画像合成方法である。
請求項２６記載の発明は、撮影画像内に検出される被写体に応じた合成キャラクタを該撮影画像上に合成して合成画像を生成する画像合成装置のコンピュータに、被写体の種類に応じて合成キャラクタの合成状態を決定するか、あるいは、被写体の状態に応じて合成キャラクタの種類を決定するための機能を実現するプログラムである。
請求項２７記載の発明は、画像合成装置のコンピュータに、逐次撮像される撮影画像内に逐次検出される被写体に応じた合成キャラクタを該撮影画像上に逐次合成して合成画像を逐次生成し、この逐次生成される合成画像をモニタ画面上に逐次表示させている最中に、撮影指示があった場合に、撮影指示のタイミングに対応する合成画像を静止画データまたは動画データとして記録するための機能を実現するプログラムである。